(57)【要約】【課題】磁性体シートを携帯端末に貼り付けるに当たり、貼り付け面に段差などがあっても、磁性体シートに充分な密着性を与えることができるとともに、貼り付け後のシートの厚さの均一性を確保でき、それにより磁性体シートによるアンテナ特性安定化性能の向上が図れるようにする。【解決手段】受け台１上に置いた携帯端末のケース２又は基板上に、アンテナ機能を有する薄板状の非接触型ＩＣカード５を設置し、その上から磁性体シート３を当てて、クッション材１５を介して磁性体シート３を押し付け治具４にて非接触型ＩＣカード５及びケース２又は基板に押し付け、磁性体シート３の接着面３ｃ・３ｂをケース２又は基板と非接触型ＩＣカード５との双方に貼り付ける。【選択図】図３
2009159074.tif 000002
【特許請求の範囲】
【請求項１】
携帯端末にアンテナ特性安定化のための磁性体シートを貼り付ける方法であって、押し付け治具の押圧面にクッション材を設け、該クッション材を介して磁性体シートを押し付け治具にて前記携帯端末に押し付け、磁性体シートの接着面を携帯端末に貼り付けることを特徴とする、携帯端末への磁性体シート貼り付け方法。
【請求項２】
受け台上に置いた携帯端末のケース又は基板上に磁性体シートを設置し、クッション材を介して磁性体シートを押し付け治具にて前記ケース又は基板に押し付け、磁性体シートの接着面を前記ケース又は基板に貼り付けることを特徴とする請求項１に記載の、携帯端末への磁性体シート貼り付け方法。
【請求項３】
受け台上に置いた携帯端末のケース又は基板上に、アンテナ機能を有する薄板状の無線通信モジュールを設置し、その上から磁性体シートを当てて、クッション材を介して磁性体シートを押し付け治具にて前記無線通信モジュール及び前記ケース又は基板に押し付け、磁性体シートの接着面を前記ケース又は基板と前記無線通信モジュールとの双方に貼り付けることを特徴とする請求項１に記載の、携帯端末への磁性体シート貼り付け方法。
【請求項４】
無線通信モジュールが、無線通信チップと不揮発性メモリを内蔵した非接触型ＩＣカードで、磁性体シートの接着面を非接触型ＩＣカードの表面とケース又は基板とに貼り付けることを特徴とする請求項３に記載の、携帯端末への磁性体シート貼り付け方法。
【発明の詳細な説明】
【技術分野】
【０００１】
本発明は、携帯電話機等の携帯端末において、そのアンテナ特性安定化のために磁性体シートを携帯端末に貼り付ける磁性体シート貼り付け方法に関する。
【背景技術】
【０００２】
特許文献１（特開２００５−３４１０２７号公報）等に開示されているように、近距離の無線通信が可能なアンテナ機能を有する非接触型ＩＣカードを内蔵した携帯端末において、非接触型ＩＣカードのアンテナ特性安定化のために磁性体シートを付設することは公知である
【０００３】
磁性体シートは、非接触型ＩＣカードを実装した基板又は携帯端末のケースに貼り付けられるが、その貼り付けに当たっては、磁性体シートによれ、しわ等が生じないように貼り付けるとともに、貼り付け面に対して隙間がないように密着させ、しかも、貼り付け後のシートの厚さを均一にする必要がある。そのため、デルリン（登録商標、金属に似た特性を持つアセタール樹脂）等を押し出し成形した押し治具で貼り付け面に対して密着させているが、貼り付け面の段差、或いは、非接触型ＩＣカード自身の厚みにより磁性体シートの密着性が保てない恐れがあった。
【０００４】
図５は、そのような貼り付けを行う従来の方法で、受け台１上に置いた携帯端末のケース２上に磁性体シート３を設置し、その上から押し治具の押し子４にて磁性体シート３をケース２に上から押し付け、磁性体シート３の接着面３ａをケース２の貼り付け面に貼り付ける場合を示す。この図の場合には、ケース２の貼り付け面に段差がないので、磁性体シート３の接着面３ａの全面に押し子４により一様に押し圧力を加えることができる。
【０００５】
しかし、図６に示すように、ケース２上には、非接触型ＩＣカード５が設置されていたり、その他ラベル類などが貼り付けられているため、剛体である押し子４では、非接触型ＩＣカード５上となる磁性体シート３の接着面３ｂと、ケース２上となる磁性体シート３の接着面３ｃとに一様の押し圧力が加わらず、磁性体シート３の特性を効果的に得ることができなくなる。
【０００６】
図７は、ケース２の貼り付け面自体に微細な段差が設けられている場合である。その場合においても、段差の影響により押し子４からの押し圧力は、ケース上段の貼り付け面に対応する磁性体シート３の接着面３ｄと、ケース下段の貼り付け面に対応する磁性体シート３の接着面３ｅに一様の押し圧力が加わらず、磁性体シート３の特性を効果的に得ることができなくなる。
【０００７】
すなわち、従来の磁性体シート貼り付け方法においては、次のような問題があった。  
（１）剛性のある、合成樹脂素材を押し治具の押し子に利用しているため、貼り付け平面に微細な段差がある場合、貼り付け面の低い部分に対して充分な押し圧力をかけることができず磁性体シート密着性が低下する。
（２）貼り付け面が平面の場合でも、非接触型ＩＣカードを磁性体シートとの間に挟み込む場合、両者の形状の違いによって生じる磁性体シートの貼り付け面の凹部に対して充分な押し圧力をかけることができず、密着性が低下する。
【特許文献１】特開２００５−３４１０２７号公報
【発明の開示】
【発明が解決しようとする課題】
【０００８】
本発明の目的は、磁性体シートを携帯端末に貼り付けるに当たり、貼り付け面に段差などがあっても、磁性体シートに充分な密着性を与えることができるとともに、貼り付け後のシートの厚さの均一性を確保でき、それにより磁性体シートによるアンテナ特性安定化性能の向上が図れるようにすることにある。
【課題を解決するための手段】
【０００９】
請求項１に係る本発明は、携帯端末にアンテナ特性安定化のための磁性体シートを貼り付ける方法であって、押し付け治具の押圧面にクッション材を設け、該クッション材を介して磁性体シートを押し付け治具にて携帯端末に押し付け、磁性体シートの接着面を携帯端末に貼り付けることを特徴とする。
【００１０】
その実施形態である請求項２に係る発明は、受け台上に置いた携帯端末のケース又は基板上に磁性体シートを設置し、クッション材を介して磁性体シートを押し付け治具にてケース又は基板に押し付け、磁性体シートの接着面をケース又は基板に貼り付けることを特徴とする。
【００１１】
同じく請求項３に係る発明は、受け台上に置いた携帯端末のケース又は基板上に、アンテナ機能を有する薄板状の無線通信モジュールを設置し、その上から磁性体シートを当てて、クッション材を介して磁性体シートを押し付け治具にて無線通信モジュール及びケース又は基板に押し付け、磁性体シートの接着面をケース又は基板と無線通信モジュールとの双方に貼り付けることを特徴とする。
【００１２】
請求項４に係る発明は、無線通信モジュールが、無線通信チップと不揮発性メモリを内蔵した非接触型ＩＣカードで、磁性体シートの接着面を非接触型ＩＣカードの表面とケース又は基板とに貼り付けることを特徴とする。
【発明の効果】
【００１３】
本発明によると、押し付け治具の押圧面に設置したクッション材を介して磁性体シートを携帯端末に押し付けて、その接着面を携帯端末に貼り付けるので、携帯端末の貼り付け面に段差などがあっても、磁性体シートに充分な密着性を与えることができるとともに、貼り付け後のシートの厚さの均一性を確保できる。従って、磁性体シートによるアンテナ特性安定化性能の向上が図れる。
【発明を実施するための最良の形態】
【００１４】
次に、本発明の実施例を図面に基づいて詳細に説明する。
【実施例】
【００１５】
図１は、本発明の方法を実施する磁性体シート貼り付け装置の一例を示す。この装置は、ベース１０上にワークのための受け台１を設け、スタンド１１にトグル機構１２にて押し治具１３を装着し、トグル機構１２のハンドル１４を操作することにより、押し治具１３を受け台１に向かって昇降できるようになっている。受け台１はワークの外形に対応しており、ワークを受け台１上に位置決めできる。押し治具１３の押し子４の平らな下面（ワークを押圧する押圧面）には、所要の厚さの板状のクッション材１５が付設されている。
【００１６】
同図は、受け台２上にワークとして携帯端末のケース２を置き、磁性体シート３をケース２に密着させて貼り付けるため、ハンドル１４にて押し治具１３を押し下げて、その押し子４により磁性体シート３をケース２に押し付けようとしている状態である。押し子４の下面にはクッション材１５が付設されているので、磁性体シート３は、押し子４によりクッション材１５を介してケース２に押し付けられる。ハンドル１４にて押し治具１３を上昇させることにより、押し子４がクッション材１５と共にケース２から離れ、受け台１上に位置決めされたケース２を取り除くことができる。
【００１７】
図２はその拡大図で、受け台１上に置いた携帯端末のケース２上に、無線通信モジュールとして、無線通信チップと不揮発性メモリを内蔵した非接触型ＩＣカード５が設置されている場合、その上からケース２上に磁性体シート３を置き、磁性体シート３と非接触型ＩＣカード５とケース２とを、クッション材５と受け台１とで挟み、クッション材５による弾性を与えながら、磁性体シート３をケース２及び非接触型ＩＣカード５に密着させる状態を示している。
【００１８】
図３は、図２において鎖線で囲んだ部分の拡大図で、非接触型ＩＣカード５が存在する部分と存在しない部分とでケース２上に段差ができた場合である。この場合、クッション材５が非接触型ＩＣカード５の有無によるケース２上の段差に応じて圧縮するので、非接触型ＩＣカード５が存在する部分と存在しない部分とで、磁性体シート３に一様な押し圧力が与えられる。
【００１９】
従って、非接触型ＩＣカード５が存在する部分では、磁性体シート３の接着面３ｂが非接触型ＩＣカード５の表面に充分な密着性をもって貼り付けられ、非接触型ＩＣカード５が存在しない部分でも、磁性体シート３の接着面３ｃがケース２の表面に充分な密着性をもって貼り付けられる。
【００２０】
図４はケース２自身に段差がある場合である。この場合、クッション材５がケース２の段差に応じて圧縮するので、段差の上段部分と下段部分とで、磁性体シート３に一様な押し圧力が与えられる。従って、ケース２の段差の上段部分に対しては、磁性体シート３の接着面３ｄがケース２の上段面に充分な密着性をもって貼り付けられ、ケース２の段差の下段部分に対しても、磁性体シート３の接着面３ｅがケース２の下段面に充分な密着性をもって貼り付けられる。
【００２１】
次に、図１及び図２を参照して実際の作業の動作を説明する。
図1において、作業者が、磁性体シート３及び非接触型ＩＣカード５を設置した携帯端末のケース２を受け台１上に置き、受け台１に合わせて位置決めを行う。このとき押し子４は上方にあり、ワークであるケース２を受け台１上に置くことができる状態である、
【００２２】
ハンドル１４を下げることにより、押し治具１３の押し子４が下降し、押し子の下面に取り付けられたクッション材１５で磁性体シート３をケース２に上から押し付け、ケース２に対する磁性体シート３の接着面の密着性を高めることができる。その際、ケース２に先に貼り付けられた非接触型ＩＣカード５により微細な段差ができているが、押し子４の下面に取り付けられたクッション材１５は、その段差による影響を吸収し、磁性体シート３に一様な押し圧力を与えるので、ケース２に対して一様な密着性が得られ、安定した貼り付けを行うことができる。
【００２３】
この後、作業者はハンドル１４を上げて、押し子４をクッション材１５と共に上昇させ、磁性体シート３、非接触型ＩＣカード５及びケース２を押し圧力から解放することにより、ワークであるケース２を受け台１から取り外すことができる。
【００２４】
なお、上記の実施例では、磁性体シート３をケース２に貼り付ける場合について説明したが、非接触型ＩＣカード５が基板上に実装されていて、磁性体シート３をその基板上に貼り付ける場合にも、本発明はもちろん適用することができる。また、無線通信モジュールとしては、無線通信チップと不揮発性メモリを内蔵した非接触型ＩＣカードに限らない。
【図面の簡単な説明】
【００２５】
【図１】本発明を実施する磁性体シート貼り付け装置の一例を示す側面図である。
【図２】その一部の拡大図である。
【図３】図２において鎖線で囲んだ部分の拡大図で、非接触型ＩＣカードが存在する部分と存在しない部分とで携帯端末のケース上に段差ができた場合である。
【図４】ケース自身に段差がある場合の本発明の実施例を示す図３と同様の図である。
【図５】従来の方法で、磁性体シートの接着面を携帯端末のケースの貼り付け面に貼り付ける場合を示す。
【図６】同じく従来の方法で、ケース上に非接触型ＩＣカードが設置されている場合である。
【図７】同じく従来の方法で、ケースの貼り付け面自体に段差が設けられている場合である。
【符号の説明】
【００２６】
１  受け台
２  ケース
３  磁性体シート
３ａ・３ｂ・３ｃ・３ｄ・３ｅ  磁性体シートの接着面
４  押し子
５  非接触型ＩＣカード
１０  ベース
１１  スタンド
１２  トグル機構
１３  押し治具
１４  ハンドル
１５  クッション材
【図１】
2009159074.tif 000003
【図２】
2009159074.tif 000004
【図３】
2009159074.tif 000005
【図４】
2009159074.tif 000006
【図５】
2009159074.tif 000007
【図６】
2009159074.tif 000008
【図７】
2009159074.tif 000009